(57)【要約】      （修正有）【課題】背広の上着やズボンの芯地、及び上着の肩パットに、消臭不織布（スーパー消臭不織布Ｗ３５）を用いて悪臭を除去可能な快適消臭被服を提供する。【解決手段】背広の上着Ａの芯地１、ズボンの芯地１、及び上着Ａの肩パット２に、消臭不織布（スーパー消臭不織布Ｗ３５）を用い、又、寝具類の内部に、消臭不敷布（スーパー消臭不織布Ｗ３５）を用い、設けたものである。【選択図】図１
0003109725.tif 000002
【実用新案登録請求の範囲】
【請求項１】
背広の上着（Ａ）の芯地（１）、ズボン（Ｂ）の芯地（１）及び上着（Ａ）の肩パット（２）に、消臭不織布を用いた事を特徴とする快適消臭被服。
【請求項２】
寝具類（Ｃ）の内部に、消臭不敷布を用い、設けた事を特徴とする快適消臭被服。
【考案の詳細な説明】
【技術分野】
【０００１】
この考案は、衣料品及び寝具類に用いた快適消臭被服に関するものである。
【背景技術】
【０００２】
従来、背広や上着やズボン、或いは、シーツ、布団カバー、枕カバー等衣料品や寝具類は、夏季等に汗を掻き、汗の臭いで不愉快になる場合が往々にしてある。
【０００３】
そして、近年、『スーパー消臭不織布Ｗ３５』と称する消臭不織布が開発され注目を浴びているが、今のところ衣料品や寝具類に用いたものは見当たらない。
【０００４】
従って、上記課題を解決する為には、消臭不織布（スーパー消臭不織布Ｗ３５）を用いた衣料品や寝具類の開発が望まれる。
【０００５】
これまでに出願された消臭性繊維に関する特許文献を参考の為に紹介する。（特許文献１〜２参照。）
【特許文献１】実開平７−０４０５６５
【特許文献２】特開２００３−０００４１９
【考案の開示】
【考案が解決しようとする課題】
【０００６】
そこで、上記課題を解決する為に、この考案は、背広の上着やズボンの芯地及び上着の肩パットに、消臭不織布（スーパー消臭不織布Ｗ３５）を用いて悪臭を除去可能な快適消臭被服を開発・提供する事にある。
【課題を解決するための手段】
【０００７】
この課題を解決する為に、この考案は、背広の上着の芯地、ズボンの芯地及び上着の肩パットに、消臭不織布（スーパー消臭不織布Ｗ３５）を用いたものである。
【０００８】
又、寝具類の内部に、消臭不敷布（スーパー消臭不織布Ｗ３５）を用い、設けたものである。
【考案の効果】
【０００９】
この考案の効果として、背広の上着の芯地、ズボンの芯地及び上着の肩パットに、消臭不織布（スーパー消臭不織布Ｗ３５）を用いる事で悪臭を除去し、快適な生活を送る事が出来る。
【００１０】
又、素材が綿１００％で人体や動物に対しても無害で、洗濯する事で繰り返し使用出来、又、アトピー性皮膚炎や敏感肌の方にも安心して使用出来る等極めて有益なる効果を奏するものである。
【考案を実施するための最良の形態】
【００１１】
この考案の最良の形態として、使用場所や環境等、用途に応じて効果が変化する為、用途に適合した大きさや取り付け位置を設定する事が重要である。
【実施例１】
【００１２】
そこで、この考案の一実施例を図１〜図３に基づいて詳述すると、まず背広の上着（Ａ）の芯地（１）、ズボン（Ｂ）の芯地（１）及び上着（Ａ）の肩パット（２）に、消臭不織布を用いた事を特徴とする快適消臭被服から構成される。
【００１３】
又、寝具類（Ｃ）の内部に、消臭不敷布を用い、設けた事を特徴とする快適消臭被服から構成される。
【００１４】
最初に、この考案に使用する公知のスーパー消臭不織布Ｗ３５の機能と特長について概要を説明すると、生活環境での悪臭（汗・尿・腐敗臭）や気になる体臭（足の臭い・腋の臭い）、又、ノネナール（加齢臭）等の前身の物質に対して効果が有り、加齢臭に対する発生抑制効果が有り、いやな臭いだけを短時間で、強力に消臭し、アンモニアに対する消臭効果は活性炭の５倍以上と言われ、化学的消臭により効果が持続される。従って、洗濯や干す事によって、消臭機能が回復して、繰り返し使用出来る。又、黄色ぶどう球菌に関して高い抗菌性能が確認されており、更に、皮膚障害・経口毒性・突然変異原生・ホルマリン残留試験を全てクリアする等、安全性面で高い評価を得ている。
【００１５】
又、スーパー消臭不織布Ｗ３５は、繊維の先に臭いを吸着するカルボキシル基をグラフト重合させたもので、特にアンモニアやトリメチルアミンに対する吸着力は優れていて、一度吸着したらそのままの状態で離れることがない。
【００１６】
次に、財団法人日本食品分析センターにて、実際に検体２ｇをテドラーバック内に入れ、空気を３Ｌ注入後、アンモニアを添加し、室温放置１０分・３０分・６０分・１２０分後に、テドラーバック内のアンモニア濃度を、検知間管を用いて測定したデータを紹介する。（図４参照。）
【００１７】
上記データ（図４）で判る様に、未加工の不織布は１２０分経過後もほとんど変化は見られないが、スーパー消臭不織布Ｗ３５の方は、３０分経過後、９９．８％の消臭効果を発揮している。
【００１８】
そこで、図１・図２は、上記のスーパー消臭不織布Ｗ３５を背広の上着の芯地部や肩パット部に使用したもので、図１は正面図で、図２は左側面図である。背広の上着の場合、最も効果的な汗で汚れ易い襟元や身頃の芯地（１）や肩パット（２）部に消臭不織布（スーパー消臭不織布Ｗ３５）を用いている。
【００１９】
又、図３は布団（ＣＧ）や枕（Ｐ）等の寝具類（Ｃ）の内部に、スーパー消臭不織布Ｗ３５を用いたものを示し、斜視図である。この場合、最も汚れ易い布団カバーの上縁部や枕カバーの表面部に用いると、いやな臭いを消臭し効果的である。
【実施例２】
【００２０】
その他の実施例として、上記以外に衣類では、コート、スーツ、ベスト、スカート、スラックス、ジャケット、ブラウス等に使用し、寝具類では、シーツ、上掛け等広範囲に使用可能である。
【産業上の利用可能性】
【００２１】
この考案は、背広の上着の芯地、ズボンの芯地及び上着の肩パットに、消臭不織布（スーパー消臭不織布Ｗ３５）を用いる事で、悪臭を除去し、快適な生活が送れる為、多くの市場に寄与する点で産業上の利用可能性を有する。
【図面の簡単な説明】
【００２２】
【図１】この考案の一実施例を示し、背広の上着に消臭不敷布を用いた時の正面図である。
【図２】この考案の一実施例を示し、背広の上着に消臭不敷布を用いた時の左側面図である。
【図３】この考案の一実施例を示し、寝具類の内部に消臭不敷布を用いた時の斜視図である。
【図４】この考案の参考資料を示し、未加工不織布とスーパー消臭不織布Ｗ３５のアンモニア濃度測定比較データである。
【符号の説明】
【００２３】
１  芯地
２  肩パット
Ａ  背広の上着
Ｂ  ズボン
Ｃ  寝具類
ＣＧ  布団
Ｐ  枕
【図１】
0003109725.tif 000003
【図２】
0003109725.tif 000004
【図３】
0003109725.tif 000005
【図４】
0003109725.tif 000006
【手続補正書】
【提出日】平成16年12月21日(2004.12.21)
【手続補正１】
【補正対象書類名】実用新案登録請求の範囲
【補正対象項目名】全文
【補正方法】変更
【補正の内容】
【実用新案登録請求の範囲】
【請求項１】
背広の上着（Ａ）の芯地（１）、ズボン（Ｂ）の芯地（１）及び上着（Ａ）の肩パット（２）に、消臭不織布を用いた事を特徴とする快適消臭被服。
【手続補正２】
【補正対象書類名】明細書
【補正対象項目名】全文
【補正方法】変更
【補正の内容】
【考案の詳細な説明】
【技術分野】
【０００１】
この考案は、快適消臭被服に関するものである。
【背景技術】
【０００２】
従来、背広や上着やズボン、或いは、シーツ、布団カバー、枕カバー等衣料品や寝具類は、夏季等に汗を掻き、汗の臭いで不愉快になる場合が往々にしてある。
【０００３】
そして、近年、『スーパー消臭不織布Ｗ３５』と称する消臭不織布が開発され注目を浴びているが、今のところ衣料品や寝具類に用いたものは見当たらない。
【０００４】
従って、上記課題を解決する為には、消臭不織布（スーパー消臭不織布Ｗ３５）を用いた衣料品の開発が望まれる。
【０００５】
これまでに出願された消臭性繊維に関する特許文献を参考の為に紹介する。（特許文献１〜２参照。）
【特許文献１】実開平７−０４０５６５
【特許文献２】特開２００３−０００４１９
【考案の開示】
【考案が解決しようとする課題】
【０００６】
そこで、上記課題を解決する為に、この考案は、背広の上着やズボンの芯地及び上着の肩パットに、消臭不織布（スーパー消臭不織布Ｗ３５）を用いて悪臭を除去可能な快適消臭被服を開発・提供する事にある。
【課題を解決するための手段】
【０００７】
この課題を解決する為に、この考案は、背広の上着の芯地、ズボンの芯地及び上着の肩パットに、消臭不織布（スーパー消臭不織布Ｗ３５）を用いたものである。
【考案の効果】
【０００８】
この考案の効果として、背広の上着の芯地、ズボンの芯地及び上着の肩パットに、消臭不織布（スーパー消臭不織布Ｗ３５）を用いる事で悪臭を除去し、快適な生活を送る事が出来る。
【０００９】
又、素材が綿１００％で人体や動物に対しても無害で、洗濯する事で繰り返し使用出来、又、アトピー性皮膚炎や敏感肌の方にも安心して使用出来る等極めて有益なる効果を奏するものである。
【考案を実施するための最良の形態】
【００１０】
この考案の最良の形態として、使用場所や環境等、用途に応じて効果が変化する為、用途に適合した大きさや取り付け位置を設定する事が重要である。
【実施例１】
【００１１】
そこで、この考案の一実施例を図１〜図２に基づいて詳述すると、まず背広の上着（Ａ）の芯地（１）、ズボン（Ｂ）の芯地（１）及び上着（Ａ）の肩パット（２）に、消臭不織布を用いた事を特徴とする快適消臭被服から構成される。
【００１２】
最初に、この考案に使用する公知のスーパー消臭不織布Ｗ３５の機能と特長について概要を説明すると、生活環境での悪臭（汗・尿・腐敗臭）や気になる体臭（足の臭い・腋の臭い）、又、ノネナール（加齢臭）等の前身の物質に対して効果が有り、加齢臭に対する発生抑制効果が有り、いやな臭いだけを短時間で、強力に消臭し、アンモニアに対する消臭効果は活性炭の５倍以上と言われ、化学的消臭により効果が持続される。従って、洗濯や干す事によって、消臭機能が回復して、繰り返し使用出来る。又、黄色ぶどう球菌に関して高い抗菌性能が確認されており、更に、皮膚障害・経口毒性・突然変異原生・ホルマリン残留試験を全てクリアする等、安全性面で高い評価を得ている。
【００１３】
又、スーパー消臭不織布Ｗ３５は、繊維の先に臭いを吸着するカルボキシル基をグラフト重合させたもので、特にアンモニアやトリメチルアミンに対する吸着力は優れていて、一度吸着したらそのままの状態で離れることがない。
【００１４】
次に、財団法人日本食品分析センターにて、実際に検体２ｇをテドラーバック内に入れ、空気を３Ｌ注入後、アンモニアを添加し、室温放置１０分・３０分・６０分・１２０分後に、テドラーバック内のアンモニア濃度を、検知間管を用いて測定したデータを紹介する。（図３参照。）
【００１５】
上記データ（図３）で判る様に、未加工の不織布は１２０分経過後もほとんど変化は見られないが、スーパー消臭不織布Ｗ３５の方は、３０分経過後、９９．８％の消臭効果を発揮している。
【００１６】
そこで、図１・図２は、上記のスーパー消臭不織布Ｗ３５を背広の上着の芯地部や肩パット部に使用したもので、図１は正面図で、図２は左側面図である。背広の上着の場合、最も効果的な汗で汚れ易い襟元や身頃の芯地（１）や肩パット（２）部に消臭不織布（スーパー消臭不織布Ｗ３５）を用いている。
【実施例２】
【００１７】
その他の実施例として、上記以外に衣類では、コート、スーツ、ベスト、スカート、スラックス、ジャケット、ブラウス等に使用可能である。
【産業上の利用可能性】
【００１８】
この考案は、背広の上着の芯地、ズボンの芯地及び上着の肩パットに、消臭不織布（スーパー消臭不織布Ｗ３５）を用いる事で、悪臭を除去し、快適な生活が送れる為、多くの市場に寄与する点で産業上の利用可能性を有する。
【図面の簡単な説明】
【００１９】
【図１】この考案の一実施例を示し、背広の上着に消臭不敷布を用いた時の正面図である。
【図２】この考案の一実施例を示し、背広の上着に消臭不敷布を用いた時の左側面図である。
【図３】この考案の参考資料を示し、未加工不織布とスーパー消臭不織布Ｗ３５のアンモニア濃度測定比較データである。
【符号の説明】
【００２０】
１  芯地
２  肩パット
Ａ  背広の上着
Ｂ  ズボン
【手続補正３】
【補正対象書類名】図面
【補正対象項目名】図３
【補正方法】変更
【補正の内容】
【図３】
0003109725.tif 000007
【手続補正４】
【補正対象書類名】図面
【補正対象項目名】図４
【補正方法】削除
【補正の内容】